(57)【要約】【課題】  振込み帳票を受入れる営業店１００と、該振込み帳票に基づいて、振込み仕向けデータを生成し、ＨＯＳＴコンピュータ３００へ発信する集中センタ２００を含む為替集中処理システム１０００において、大量の為替未発信という大障害を防止すること。【解決手段】  集中センタ２００に於いて、データ処理部２１０は、振込み帳票に対する入金処理の有無に関らず、振込み仕向けデータを生成して打溜まらせ、通信ゲートウェイ２９０Ａ、及び通信ゲートウェイ２９０Ｂは、ネットワーク５００を介して上記振込み仕向けデータをＨＯＳＴコンピュータ３００へ発信し、営業店１００に於いて、発信指示手段１１０ａは、集中センタ２００対してデータ処理部２１０に打溜まる振込み仕向けデータのＨＯＳＴコンピュータ３００への発信を指示する。【選択図】        図１
2008015804.tif 000002
【特許請求の範囲】
【請求項１】
振込み帳票を受入れる受入れ窓口と、該振込み帳票に基づいて、振込み仕向けデータを生成し、処理ホストへ発信する処理センタとを含む為替集中処理システムであって、
前記処理センタは、
前記振込み帳票に対する入金処理の有無に関らず前記振込み仕向けデータを生成して打溜まらせるデータ処理部と、所定のネットワークを介して前記振込み仕向けデータを前記処理ホストへ発信する複数台の通信ゲートウェイとを備え、
前記受入れ窓口は、
前記処理センタに対して前記データ処理部に打溜まる前記振込み仕向けデータの前記処理ホストへの発信を指示する発信指示手段を備えることを特徴とする為替集中処理システム。
【請求項２】
前記複数台の通信ゲートウェイの各々は、前記振込み仕向けデータを前記データ処理部から非同期的に受入れて、前記処理ホストへ発信することを特徴とする請求項１に記載の為替集中処理システム。
【発明の詳細な説明】
【技術分野】
【０００１】
本発明は、為替集中処理システムに関し、特にシステムの障害対策に関する。
【背景技術】
【０００２】
為替集中処理システムでは、各営業店から送付される振込み依頼票は一旦集中センタにまとめられ、所定の処理が実行され、振込み仕向けデータが生成される。生成された振込み仕向けデータは、通信ゲートウェイを介して、ホストコンピュータへ発信される。この処理経過の中で、特に、通信ゲートウェイに障害が発生すると、為替集中処理システムと、ＨＯＳＴコンピュータ間での通信障害になってしまう。この障害が、為替業務終了間近に発生した場合には、大量の為替未発信という大障害になってしまう。かかる事態の発生を防止するために従来の為替集中処理システムでは、予備の通信ゲートウェイを配設し、上記事態が発生すると、障害が発生した通信ゲートウェイから予備の通信ゲートウェイへの接続切替えを実行し、大障害の発生を防止していた。
【特許文献１】特開平０９−１４７０３６号公報
【発明の開示】
【発明が解決しようとする課題】
【０００３】
しかしながら、障害が発生した通信ゲートウェイから予備の通信ゲートウェイへの接続切替えは、作業者の手作業で実行されるために多大な時間と労力とを必要としていた。従って、障害が、為替業務終了間近に発生した場合等には、大量の為替未発信という大障害を防止できない場合も発生するという解決すべき課題が残されていた。
【課題を解決するための手段】
【０００４】
振込み帳票を受入れる受入れ窓口と、該振込み帳票に基づいて、振込み仕向けデータを生成し、処理ホストへ発信する処理センタとを含む為替集中処理システムであって、上記処理センタは、上記振込み帳票に対する入金処理の有無に関らず上記振込み仕向けデータを生成して打溜まらせるデータ処理部と、所定のネットワークを介して上記振込み仕向けデータを上記処理ホストへ発信する複数台の通信ゲートウェイとを備え、上記受入れ窓口は、上記処理センタに対して上記データ処理部に打溜まる上記振込み仕向けデータの上記処理ホストへの発信を指示する発信指示手段を備えることを主要な特徴とする。
【発明の効果】
【０００５】
本発明による為替集中処理システムでは、所定のネットワークを介して上記振込み仕向けデータを上記処理ホストへ発信する複数台の通信ゲートウェイとを備えるので、障害が発生した通信ゲートウェイから予備の通信ゲートウェイへの接続切替えを必要としなくなるので、大量の為替未発信という大障害を防止できるという効果を得る。
【発明を実施するための最良の形態】
【０００６】
本発明による為替集中処理システムは以下のように構成される。
【実施例１】
【０００７】
図１は、実施例１の為替集中処理システムのシステム構成図である。
される。
図に示すように、実施例１の為替集中処理システム１０００は、営業店１００と、集中センタ２００とがＬＡＮ４００で接続され、更に、集中センタ２００と、ＨＯＳＴコンピュータ３００とが、ネットワーク５００を介して接続され、構成される。
【０００８】
営業店１００は、データ読取送信部１１０と、ＩＦ部１２０とを備え、顧客から振込み依頼票（帳票）を受入れる店舗である。図では、一例として１店舗のみ表しているが、通常は、複数の店舗がＬＡＮ４００に接続されている。
【０００９】
データ読取送信部１１０は、集中センタ２００に対して、データ処理部２１０に打溜まる振込み仕向けデータのＨＯＳＴコンピュータ３００への発信を指示する発信指示手段１１０ａを有し、以下に記す（１）及び（２）の機能を備える部分である。即ち、（１）資金確保／未確保状態を問わず、顧客によって持ち込まれた振込み依頼票のデータをスキャナで読取って集中センタ２００へＬＡＮ４００を介して送信する機能、（２）オペレータが資金確保を確認し、振込み仕向けデータの発信指示を、後に説明するデータ処理部２１０へＬＡＮ４００を介して送信する機能、である。
【００１０】
ＩＦ部１２０は、営業店内の共通線路１３０とＬＡＮ４００とを所定のネットワークプロトコルに基づいて接続するインタフェース回路基板である。共通線路１３０は、営業店１００内部の各構成部分を通信接続する通信線路である。
【００１１】
集中センタ２００は、データ処理部２１０と、ＩＦ部２２０と、データエントリー部２３０と、データベリファイ部２４０と、データ承認部２５０と、データ自動発信Ａグループ２６０−１〜２６０−ｎと、データ自動発信Ｂグループ２６５−１〜２６５−ｍと、通信ゲートウェイ２９０Ａと、通信ゲートウェイ２９０Ｂとを備え、ＬＡＮ４００を介して各営業店から送付される振込み依頼票を受入れて、所定の処理を実行し、振込み仕向けデータを作成し、ネットワーク５００を介して金融機関毎に配置されているＨＯＳＴコンピュータ３００へ発信するデータ演算処理センタである。
【００１２】
データ処理部２１０は、その内部に為替サーバ２１１と、データベース２１２とを有し、オペレータに対して、振込み依頼票に所定の処理の実行を要求し、振込み仕向けデータを作成させる部分である。更に、作成された振込み仕向けデータを打溜データとして格納しておく部分でもある。
【００１３】
為替サーバ２１１は、データエントリー部２３０と、データベリファイ部２４０と、データ承認部２５０とを制御し、オペレータに対して所定の処理の実行を要求し、振込み仕向けデータを作成させる部分である。
【００１４】
又、データベース２１２に予め格納されている図示しない、為替種目チェックテーブルや、打溜データテーブルを用いて、受入れた振込み依頼票のうち翌日以降分の振込み仕向けデータを、データベース２１２に設けられている一旦打溜格納領域２１２−１に格納させる部分でもある。更に、営業店１００から、発信指示を受入れると、該当する振込み仕向けデータをネットワーク５００を介してＨＯＳＴコンピュータ３００へ発信する部分でもある。
【００１５】
データベース２１２は、図示しない、為替種目チェックテーブルや、打溜データテーブルなどの制御テーブルを予め格納するメモリである。更に、翌日以降分の振込み仕向けデータを格納する打溜格納領域２１２−１を有するデータベースでもある。
【００１６】
データエントリー部２３０は、そのディスプレイ部分に、振込み依頼票に記載されている内容（振込み先など）及びデータ（金額など）を表示し、オペレータＡにその内容、及びデータを確定させる部分である。データベリファイ部２４０は、オペレータＢにオペレータＡが確定した内容、及びデータを消去した状態で再度、内容、及びデータをそのディスプレイ部分に入力させる部分である。
【００１７】
データ承認部２５０は、そのディスプレイ部分に、データエントリー部２３０でオペレータＡによって確定されたデータを表示させ、この表示とデータベリファイ部２４０でオペレータＢが入力した内容、データとが一致するか否かを判断し、不一致と判断したデータをそのディスプレイ部分に表示させ、オペレータに打溜させるか否かの判断を求める部分である。
【００１８】
データ自動発信Ａグループ２６０−１〜２６０−ｎは、営業店１００から発信指示を受入れると、打溜格納領域２１２−１に格納されているデータの中から該当する振込み仕向けデータを通信ゲートウェイ２９０Ａを介してＨＯＳＴコンピュータ３００へ発信する部分である。
【００１９】
データ自動発信Ｂグループ２６５−１〜２６５−ｍは、営業店１００から発信指示を受入れると、打溜格納領域２１２−１に格納されているデータの中から該当する振込み仕向けデータを通信ゲートウェイ２９０Ｂを介してＨＯＳＴコンピュータ３００へ発信する部分である。
【００２０】
通信ゲートウェイ２９０Ａは、ネットワーク５００を介して、ＨＯＳＴコンピュータ３００とデータ自動発信Ｂグループ２６５−１〜２６５−ｍとの間に配設され、両者間での通信プロトコルを変換し、通信接続するゲートウェイである。
【００２１】
通信ゲートウェイ２９０Ｂは、ネットワーク５００を介して、ＨＯＳＴコンピュータ３００とデータ自動発信Ｂグループ２６５−１〜２６５−ｍとの間に配設され、両者間での通信プロトコルを変換し、通信接続するゲートウェイである。
【００２２】
共通線路２７０は、集中センタ２００内部の各構成部分を通信接続する通信線路である。ＩＦ部２２０は、集中センタ２００内の共通線路２７０とネットワーク４００とを所定のネットワークプロトコルに基づいて接続するインタフェース回路基板である。
【００２３】
以上説明した実施例１の為替集中処理システムは以下のように動作する。
営業店１００では、資金確保／未確保を問わず顧客により持ち込まれた振込み依頼票をデータ読取送信部１１０が有する営業店スキャナで読取ってＬＡＮ４００を介して集中センタ２００へ送信する。
【００２４】
集中センタ２００では、顧客により持ち込まれた振込み依頼票の記載内容に基づいて、データエントリー部２３０、データベリファイ部２４０、データ承認部２５０を介してオペレータに振込み仕向けデータを作成させる。作成された振込み仕向けデータは一旦、打溜格納領域２１２−１に格納される。
【００２５】
営業店１００のオペレータは、資金確保を確認し、発信指示手段１１０ａを用いて、順次発信指示を行う。この発信指示は、データ読取送信部１１０からＬＡＮ４００を介して為替サーバ２１１へ送信される。この機能は、上記データ読取送信部１１０の機能（２）に該当する。
【００２６】
為替サーバ２１１が、発信指示を受入れると、データ自動発信Ａグループ２６０−１〜２６０−ｎと通信ゲートウェイ２９０Ａ、または、データ自動発信Ｂグループ２６５−１〜２６５−ｍと通信ゲートウェイ２９０Ｂが、打溜格納領域２１２−１から発信指示によって指示されている振込み仕向けデータを読み出してネットワーク４００を介してＨＯＳＴコンピュータ３００へ発信して動作を終了する。このとき、データ自動発信Ａグループ２６０−１〜２６０−ｎとデータ自動発信Ｂグループ２６５−１〜２６５−ｍに含まれるｎ＋ｍ台のパーソナルコンピュータは、それぞれ非同期的（早い者勝ち）に為替サーバ２１１から振込み仕向けデータを取得してＨＯＳＴコンピュータ３００へ発信する。
【００２７】
以上説明した、実施例１の為替集中処理システムでは、振込み仕向けデータをＨＯＳＴコンピュータ３００へ発信する、通信ゲートウェイ２９０Ａ及び通信ゲートウェイ２９０Ｂを備えるので、何れか一方の通信ゲートウェイに障害が発生し、ＨＯＳＴコンピュータ３００との通信が出来ない状態であっても、他方の通信ゲートウェイが有効なので、障害が発生した通信ゲートウェイから予備の通信ゲートウェイへの接続切替えを必要としなくなるので、大量の為替未発信という大障害を防止できるという効果を得る。
【実施例２】
【００２８】
図２は、実施例２の為替集中処理システムのシステム構成図である。
図に示すように、実施例２の為替集中処理システム２０００は、営業店１００と、集中センタ２０１と、ＨＯＳＴコンピュータ３００とが、ネットワーク６００を介して接続され、構成される。以下に、実施例１との相違部分のみについて詳細に説明する。実施例１と同様の部分については、実施例１と同一の符号を付して説明を省略する。ここでネットワーク６００は、ネットワーク全体が同一プロトコルで動作する通信回線を指し、例えばＬＡＮ４００（図１）と同様であっても良い。
【００２９】
集中センタ２０１は、データ処理部２１０と、ＩＦ部２２０と、データエントリー部２３０と、データベリファイ部２４０と、データ承認部２５０と、データ自動発信Ａグループ２６０−１〜２６０−ｎと、データ自動発信Ｂグループ２６５−１〜２６５−ｍとを備え、ネットワーク６００を介して各営業店から送付される振込み依頼票を受入れて、所定の処理を実行し、振込み仕向けデータを作成し、ネットワーク６００を介して金融機関毎に配置されているＨＯＳＴコンピュータ３００へ発信するデータ演算処理センタである。この集中センタ２０１は、実施例１の集中センタ２００と異なり、通信ゲートウェイ２９０Ａ（図１）、及び通信ゲートウェイ２９０Ｂ（図１）を備えていない。
【００３０】
更に、実施例１では、集中センタ２００（図１）がＬＡＮ４００（図１）を介して各営業店から送付される振込み依頼票を受入れて、所定の処理を実行し、振込み仕向けデータを作成し、ネットワーク５００（図１）を介して金融機関毎に配置されているＨＯＳＴコンピュータ３００へ発信しているが、本実施例では、営業店１００と、集中センタ２０１と、ＨＯＳＴコンピュータ３００とが、同一のネットワーク６００を介して接続されている。
【００３１】
為替サーバ２１１は、データエントリー部２３０と、データベリファイ部２４０と、データ承認部２５０とを制御し、オペレータに対して所定の処理の実行を要求し、振込み仕向けデータを作成させる部分である。又、データベース２１２に予め格納されている図示しない、為替種目チェックテーブルや、打溜データテーブルを用いて、受入れた振込み依頼票のうち翌日以降分の振込み仕向けデータを、データベース２１２に設けられている一旦打溜格納領域２１２−１に格納させる部分でもある。更に、営業店１００から、発信指示を受入れると、該当する振込み仕向けデータを、ネットワーク６００を介してＨＯＳＴコンピュータ３００へ発信する部分でもある。
【００３２】
データ自動発信Ａグループ２６０−１〜２６０−ｎは、営業店１００から発信指示を受入れると、打溜格納領域２１２−１に格納されているデータの中から該当する振込み仕向けデータを通信ゲートウェイ２９０Ａ（図１）を介すことなく直接ネットワーク６００を介してＨＯＳＴコンピュータ３００へ発信する部分である。
【００３３】
データ自動発信Ｂグループ２６５−１〜２６５−ｍは、営業店１００から発信指示を受入れると、打溜格納領域２１２−１に格納されているデータの中から該当する振込み仕向けデータを通信ゲートウェイ２９０Ｂ（図１）を介すことなく直接ネットワーク６００を介してＨＯＳＴコンピュータ３００へ発信する部分である。
【００３４】
以上説明した実施例２の為替集中処理システムは以下のように動作する。
営業店１００では、資金確保／未確保を問わず顧客により持ち込まれた振込み依頼票をデータ読取送信部１１０が有する営業店スキャナで読取ってネットワーク６００を介して集中センタ２０１へ送信する。
【００３５】
集中センタ２０１では、顧客により持ち込まれた振込み依頼票の記載内容に基づいて、データエントリー部２３０、データベリファイ部２４０、データ承認部２５０を介してオペレータに振込み仕向けデータを作成させる。作成された振込み仕向けデータは一旦、打溜格納領域２１２−１に格納される。
【００３６】
営業店１００のオペレータは、資金確保を確認し、発信指示手段１１０ａを介して、順次発信指示を行う。この発信指示は、データ読取送信部１１０からネットワーク６００を介して為替サーバ２１１へ送信される。この機能は、上記実施例１で説明したデータ読取送信部１１０の機能（２）に該当する。
【００３７】
為替サーバ２１１が、発信指示を受入れると、データ自動発信Ａグループ２６０−１〜２６０−ｎと、または、データ自動発信Ｂグループ２６５−１〜２６５−ｍとが、打溜格納領域２１２−１から発信指示によって指示されている振込み仕向けデータを読み出してネットワーク６００を介してＨＯＳＴコンピュータ３００へ発信して動作を終了する。このとき、データ自動発信Ａグループ２６０−１〜２６０−ｎとデータ自動発信Ｂグループ２６５−１〜２６５−ｍに含まれるｎ＋ｍ（台）のパーソナルコンピュータは、それぞれ非同期的（早い者勝ち）に為替サーバ２１１を介して、打溜格納領域２１２−１から振込み仕向けデータを取得してＨＯＳＴコンピュータ３００へ発信する。
【００３８】
以上説明した本実施例によれば、営業店１００と、集中センタ２０１と、ＨＯＳＴコンピュータ３００とが、同一ネットワーク６００を介して接続されている場合には、通信ゲートウェイを備えることなく、集中センタ２０１とＨＯＳＴコンピュータ３００とが、ＩＦ部２２０及びネットワーク６００を介して直接通信接続できるという効果を得る。
【産業上の利用可能性】
【００３９】
実施例では、本発明を金融機関の為替集中システムに適用した場合について説明しているが、本発明は、この例に限定されるものでは無い。即ち、大量のエントリ・ＨＯＳＴコンピュータへのデータ送信業務一般にも適用することが可能である。
【図面の簡単な説明】
【００４０】
【図１】実施例１の為替集中処理システムのシステム構成図である。
【図２】実施例２の為替集中処理システムのシステム構成図である。
【符号の説明】
【００４１】
１００    営業店
１１０    データ読取送信部
１１０ａ    発信指示手段
１２０    ＩＦ部
１３０    共通線路
２００    集中センタ
２１０    データ処理部
２１１    為替サーバ
２１２    データベース
２１２−１    打溜格納領域
２２０    ＩＦ部
２３０    データエントリー部
２４０    データベリファイ部
２５０    データ承認部
２６０−１〜２６０−ｎ    データ自動発信Ａグループ
２６５−１〜２６５−ｍ    データ自動発信Ｂグループ
２７０    共通線路
３００    ＨＯＳＴコンピュータ
４００    ＬＡＮ
５００    ネットワーク
【図１】
2008015804.tif 000003
【図２】
2008015804.tif 000004